(57)【要約】  ヘルメットは、内側シェル２２と、外側シェル２１と、内側シェルと外側シェルとの間の摺動境界面２３と、第１及び第２の個別のモード間で選択的に切り替え可能であるように構成されたスイッチ２０であって、第１のモードは、ヘルメットへの衝撃に応じた、摺動境界面での内側シェルと外側シェルとの間の相対的な摺動を可能にし、第２のモードは、摺動境界面での内側シェルと外側シェルとの間の相対的な摺動を防止する、スイッチとを備える。
2021516728.tif 000002
【特許請求の範囲】
【請求項１】
内側シェルと、
外側シェルと、
前記内側シェルと前記外側シェルとの間の摺動境界面と、
第１及び第２の個別のモード間で選択的に切り替え可能であるように構成されたスイッチであって、前記第１のモードは、ヘルメットへの衝撃に応じた、前記摺動境界面での前記内側シェルと前記外側シェルとの間の相対的な摺動を可能にし、前記第２のモードは、前記摺動境界面での前記内側シェルと前記外側シェルとの間の相対的な摺動を防止する、スイッチと
を備える、ヘルメット。
【請求項２】
前記スイッチが可動ロックを備え、
前記第１及び前記第２のモードが、前記可動ロックの第１及び第２の位置にそれぞれ対応し、
前記第１の位置では、前記ロックは、前記内側シェル及び前記外側シェルのうちの少なくとも１つと係合せず、
前記第２の位置では、前記内側シェルと前記外側シェルとの間の相対的な摺動を防止するために、前記ロックのそれぞれの部品が、前記内側シェル及び前記外側シェルに係合する、請求項１に記載のヘルメット。
【請求項３】
前記可動ロックが、前記内側シェル及び前記外側シェルのうちの一方に取り付けられ、前記可動ロックが前記第２の位置にあるとき、前記可動ロックの一部が、前記内側シェル及び前記外側シェルのうちの他方の凹部に挿入されている、請求項２に記載のヘルメット。
【請求項４】
前記可動ロックの端部が、前記内側シェル及び前記外側シェルのうちの１つに回転可能に装着され、
前記第１の位置及び前記第２の位置から移動する際に、前記可動ロックが、前記可動ロックの前記端部の周りで回転される、請求項３に記載のヘルメット。
【請求項５】
前記可動ロックは、前記ロックが前記第１の位置から前記第２の位置に移動することが可能となるように、前記内側シェル及び前記外側シェルのうちの前記一方に摺動可能に取り付けられる、請求項３に記載のヘルメット。
【請求項６】
前記可動ロックは、前記第１の位置から前記第２の位置まで摺動する際に、前記可動ロックの突出部が、前記可動ロックが摺動する方向に対して、ある角度で延在し得るように構成され、
前記第２の位置では、前記突出部が前記凹部に挿入されている、請求項５に記載のヘルメット。
【請求項７】
前記可動ロックが突出部を備え、前記突出部は、前記可動ロックが前記第１の位置にあるとき、前記突出部が前記凹部と整列しないように配置され、前記可動ロックは、前記可動ロックが前記第２の位置に摺動するとき、前記突出部が前記凹部と整列し、前記凹部に入るよう付勢されるように構成される、請求項５に記載のヘルメット。
【請求項８】
前記可動ロックの第１の部品が、前記可動ロックが取り付けられている、前記内側シェル及び前記外側シェルのうちの前記一方に確実に固定され、前記可動ロックの第２の部品が、前記可動ロックの一部を変形することによって、前記内側シェル及び前記外側シェルのうちの前記他方の前記凹部に挿入され得る、請求項３に記載のヘルメット。
【請求項９】
前記可動ロックが、前記内側及び前記外側シェルの縁部に取り付けられる、請求項２から８までのいずれか一項に記載のヘルメット。
【請求項１０】
複数の前記可動ロックを備える、請求項２から９までのいずれか一項に記載のヘルメット。
【請求項１１】
前記複数の前記可動ロックの第１のロックが、前記外側シェルに対する前記内側シェルの第１の方向への動きを制限し、
前記複数の前記可動ロックの第２のロックが、前記外側シェルに対する前記内側シェルの、前記第１の方向とは異なる第２の方向への動きを制限する、請求項１０に記載のヘルメット。
【請求項１２】
前記スイッチが、境界面係合ロックを備え、前記境界面係合ロックは、前記第２のモードでは、前記境界面係合ロックが、前記内側シェルの外面の一部分を前記外側シェルの内面の一部分に固定し、前記境界面係合ロックが、前記内側シェルの前記面の前記一部分と前記外側シェルの前記面の前記一部分との間の相対的な摺動を防止するように構成される、請求項１に記載のヘルメット。
【請求項１３】
前記境界面係合ロックが、前記内側シェル及び前記外側シェルのうちの一方に取り付けられた摩擦パッドを備え、
前記境界面係合ロックは、前記第２のモードでは、前記摩擦パッドが、摩擦によって前記内側シェルと前記外側シェルとの間の相対的な摺動を防止するのに十分な力で、前記内側シェル及び前記外側シェルのうちの他方と接触するように構成される、請求項１２に記載のヘルメット。
【請求項１４】
前記境界面係合ロックが回転式アクチュエーターを備え、前記回転式アクチュエーターは、第１及び第２の方向に回転するとき、前記摩擦パッドをそれぞれ後退及び前進させ、前記境界面係合ロックを、前記第１及び前記第２のモード間でそれぞれ切り替える、請求項１３に記載のヘルメット。
【請求項１５】
前記境界面係合ロックが押しボタンスイッチを備え、前記押しボタンスイッチは、押されたときに、前記摩擦パッドを前進させ、前記境界面係合ロックを前記第２のモードに設定する、請求項１３に記載のヘルメット。
【請求項１６】
前記スイッチが、前記内側シェルと前記外側シェルとを連結するための連結具を備え、前記連結具は、前記第１のモードでは、前記連結具が、前記内側シェルと前記外側シェルとの間の相対的な摺動を許容するように構成される、請求項１に記載のヘルメット。
【請求項１７】
前記スイッチが、取り外し可能なインサート部材を更に備え、
前記第１のモードでは、前記インサート部材は、前記インサート部材のどの部分も前記連結具と係合しないように位置し、
前記第２のモードでは、前記インサート部材は、前記連結具が、前記摺動境界面での前記内側シェルと前記外側シェルとの間の相対的な摺動を許容しないように、前記連結具と係合する、請求項１６に記載のヘルメット。
【請求項１８】
前記スイッチが、前記第１及び前記第２のモード間で、前記ヘルメットの着用者により手動にて切り替え可能であるように構成される、請求項１から１７までのいずれか一項に記載のヘルメット。
【請求項１９】
前記スイッチが、道具を使用する必要なく切り替え可能であるように構成される、請求項１から１８までのいずれか一項に記載のヘルメット。
【請求項２０】
前記内側シェルが、着用者の頭部に接触するように構成され、前記外側シェルが、衝撃エネルギーを吸収するためのエネルギー吸収シェルである、請求項１から１９までのいずれか一項に記載のヘルメット。
【請求項２１】
前記内側シェルが、衝撃エネルギーを吸収するための第１のエネルギー吸収シェルであり、前記外側シェルが、衝撃エネルギーを吸収するための第２のエネルギー吸収シェルである、請求項１から１９までのいずれか一項に記載のヘルメット。
【請求項２２】
前記内側シェルが、衝撃エネルギーを吸収するためのエネルギー吸収シェルであり、前記外側シェルが、前記エネルギー吸収シェルを形成する材料に比べて硬い材料から形成された硬いシェルである、請求項１から１９までのいずれか一項に記載のヘルメット。
【発明の詳細な説明】
【技術分野】
【０００１】
本発明はヘルメットに関する。
【背景技術】
【０００２】
ヘルメットは、様々な活動で使用されることが知られている。これらの活動は、兵士のための保護用ヘルメット、及び、例えば、建築業者、鉱山労働者、又は産業機械のオペレーターが使用する安全帽又はヘルメットなど、戦闘目的及び産業目的のものを含む。ヘルメットは、スポーツ活動でも一般的である。例えば、保護用ヘルメットは、アイスホッケー、サイクリング、モーターサイクリング、自動車レース、スキー、スノーボード、スケート、スケートボード、乗馬、アメリカンフットボール、野球、ラグビー、クリケット、ラクロス、クライミング、ゴルフ、サバイバルゲーム、及びペイントボールで使用され得る。
【０００３】
ヘルメットは固定サイズであり得、又は、サイズ及び形状の異なる頭部に適合するように調節可能とすることができる。いくつかのタイプのヘルメット、例えば一般にアイスホッケー用ヘルメットでは、ヘルメットの部品を移動させ、ヘルメットの外寸及び内寸を変更することによって、調節性が提供され得る。これは、互いに対して移動することができる２つ以上の部品をヘルメットに与えることよって達成され得る。その他の場合、例えば一般にサイクリング用ヘルメットでは、ヘルメットには、ヘルメットを使用者の頭部に固定するための装着デバイスが備わり、それは、ヘルメットの本体又はシェルは同じサイズのままで、使用者の頭部に適合するように寸法が変化し得る装着デバイスである。場合によっては、ヘルメットの中のコンフォートパディングが、装着デバイスとして機能することができる。装着デバイスは、複数の物理的に分離した部品の形態、例えば互いに相互連結されていない複数のコンフォートパッドで提供されることもできる。使用者の頭部にヘルメットを定着させるためのそのような装着デバイスは、ヘルメットを適所に更にしっかりと固定する追加的なストラップ（あごひもなど）と共に使用され得る。これらの調節機構を組み合わせることも可能である。
【０００４】
ヘルメットは、多くの場合、通常はプラスチック製又は複合材料製の硬い外側シェルと、ライナーと呼ばれるエネルギー吸収層とから作製される。今日では、保護用ヘルメットは、特に、規定荷重において脳の重心に生じ得る最大加速度に関する特定の法的要件を満たすように設計されなければならない。一般的には、ヘルメットを装備したダミーの頭蓋骨として知られているものが、頭に対して半径方向の打撃を受ける試験が遂行される。これにより、頭蓋骨に対する半径方向の打撃に対し、優れたエネルギー吸収能力を有する最新のヘルメットがもたらされた。斜めの打撃（即ち、接線方向の成分及び半径方向の成分の両方が組み合わさったもの）から伝達されるエネルギーを、回転エネルギーを吸収する又は消散させることにより、及び／又は、回転エネルギーではなく並進運動エネルギーに方向転換することによって小さくする、ヘルメットの開発における進歩もあった（例えば、国際公開第２００１／０４５５２６号及び国際公開第２０１１／１３９２２４号があり、どちらもその全体が参照により本明細書に組み込まれる）。
【０００５】
（保護がない場合は）そのような斜めの衝撃によって、脳には並進方向加速度及び角加速度の両方が生じる。角加速度によって頭蓋骨の中で脳が回転し、脳を頭蓋骨に接続する身体の部位、及び脳自体にも傷害を引き起こす。
【０００６】
回転傷害の実例には、脳震とう、硬膜下血腫（ＳＤＨ：ｓｕｂｄｕｒａｌ  ｈａｅｍａｔｏｍａｓ）、血管破裂が引き起こす出血、及び、びまん性軸索損傷（ＤＡＩ：ｄｉｆｆｕｓｅ  ａｘｏｎａｌ  ｉｎｊｕｒｉｅｓ）が含まれ、びまん性軸索損傷は、脳組織内の大きな剪断変形の結果として神経線維が過度に引き延ばされるものとして要約され得る。
【０００７】
継続時間、振幅、及び増加率などの回転力の特性に応じて、ＳＤＨ、ＤＡＩ、又はこれらの損傷の組み合わせのいずれかを被る恐れがある。一般的に言えば、ＳＤＨは、短期間及び振幅が大きい加速度によって生じ、ＤＡＩは、より長く、より広範囲の加速度荷重によって生じる。
【先行技術文献】
【特許文献】
【０００８】
【特許文献１】国際公開第２００１／０４５５２６号
【特許文献２】国際公開第２０１１／１３９２２４号
【発明の概要】
【発明が解決しようとする課題】
【０００９】
上記で参照した特許出願で論じられているように、斜めの衝撃を処理することを補助するために、ヘルメットの２つのシェル間に摺動境界面が提供され得るヘルメットが開発されている。しかしながら、本発明者は、ある状況の場合、特に、ヘルメットの着用者が、ヘルメットが設計されている、より深刻なリスクに晒されていない状況の場合、ヘルメットの１つの部品がもう１つの部品に対して摺動することは、特に、１つの部品がもう１つの部品に対して摺動する程度が大きくなりすぎる場合に、使用者に不便が生じる可能性があることを特定した。
【００１０】
本発明は、少なくとも部分的にこの問題に対処することを目的とする。
【課題を解決するための手段】
【００１１】
本発明によれば、内側シェルと、外側シェルと、内側シェルと外側シェルとの間の摺動境界面とを備えるヘルメットが提供される。ヘルメットは、第１及び第２の個別のモード間で選択的に切り替え可能であるように構成されたスイッチを更に含む。第１のモードでは、ヘルメットへの衝撃に応じた、摺動境界面での内側シェルと外側シェルとの間の相対的な摺動が許容され得る。第２のモードでは、ヘルメットへの衝撃に応じた、摺動境界面での内側シェルと外側シェルとの間の摺動は防止され得る。
【００１２】
本発明が、添付図面を参照し、非限定的な実例によって以下に説明される。
【図面の簡単な説明】
【００１３】
【図１】斜めの衝撃に対する保護を提供するためのヘルメットの断面図である。
【図２】図１のヘルメットが機能する原理を示す図である。
【図３Ａ】図１のヘルメットの構造の変形形態を示す図である。
【図３Ｂ】図１のヘルメットの構造の変形形態を示す図である。
【図３Ｃ】図１のヘルメットの構造の変形形態を示す図である。
【図４】別の保護用ヘルメットの概略図である。
【図５】図４のヘルメットの装着デバイスを連結する代替え方法を示す図である。
【図６】可動ロックの配置構成を示す図である。
【図７】可動ロックの配置構成を示す図である。
【図８】可動ロックの配置構成を示す図である。
【図９】可動ロックの配置構成を示す図である。
【図１０】可動ロックの配置構成を示す図である。
【図１１】可動ロックの配置構成を示す図である。
【図１２】境界面係合ロックの配置構成を示す図である。
【図１３】境界面係合ロックの配置構成を示す図である。
【図１４】ロックが、ヘルメットの２つのシェル間の連結具と共に提供される配置構成を示す図である。
【図１５】ヘルメットの２つのシェル間の連結具が、一体的に形成されたスイッチを含む配置構成を示す図である。
【発明を実施するための形態】
【００１４】
図面に描写されたヘルメットの様々な層の厚さの比率は、明瞭にするために図では誇張されており、当然ながら、必要性及び要件に応じて適合され得る。
【００１５】
図１は、斜めの衝撃に対する保護を提供することが意図された、国際公開第０１／４５５２６号で論じられている種類の第１のヘルメット１を描写する。このタイプのヘルメットは、上述のいずれかのタイプのヘルメットであり得る。
【００１６】
保護用ヘルメット１は、外側シェル２と、外側シェル２の内側に配置され、着用者の頭部と接触することが意図された内側シェル３とから構築される。
【００１７】
外側シェル２と内側シェル３との間に摺動層４又は摺動促進材が配置され、外側シェル２と内側シェル３との間の変位を可能にする。詳細には、以下に論じられるように、摺動層４又は摺動促進材は、衝撃の間に２つの部品間で摺動が発生し得るように構成され得る。例えば、摺動促進材は、ヘルメット１の着用者が生存できると予期される、ヘルメット１への衝撃に関連する力の下で摺動可能となるように構成され得る。いくつかの配置構成では、摩擦係数が０．００１から０．３の間、及び／又は、０．１５未満になるように、摺動層又は摺動促進材を構成することが望ましいことであり得る。
【００１８】
図１の描写では、ヘルメット１の縁部分に、外側シェル２と内側シェル３とを相互連結する１つ又は複数の連結部材５が配置され得る。いくつかの配置構成では、この連結具は、エネルギーを吸収することによって、外側シェル２と内側シェル３との間の相互変位を打ち消すことができる。しかしながら、これは必須ではない。更に、この特徴が存在する場合でも、吸収されるエネルギーの量は、通常、衝撃の間に内側シェル３によって吸収されるエネルギーと比較して極小である。他の配置構成では、連結部材５は、全く存在しなくてもよい。
【００１９】
更に、これらの連結部材５の場所は多様であり得る（例えば、縁部分から離れて位置し、外側シェル２と内側シェル３とを摺動層４を通って連結する）。
【００２０】
外側シェル２は、好ましくは、様々なタイプの衝撃に耐えるために相対的に薄く強固である。外側シェル２は、例えば、ポリカーボネート（ＰＣ：ｐｏｌｙｃａｒｂｏｎａｔｅ）、ポリ塩化ビニル（ＰＶＣ：ｐｏｌｙｖｉｎｙｌｃｈｌｏｒｉｄｅ）、又はアクリロニトリル・ブタジエン・スチレン（ＡＢＳ：ａｃｒｙｌｏｎｉｔｒｉｌｅ  ｂｕｔａｄｉｅｎｅ  ｓｔｙｒｅｎｅ）などのポリマー材料から作製され得る。有利には、ポリマー材料は、ガラス繊維、アラミド、トワロン（登録商標）、炭素繊維、又はケブラー（登録商標）などの材料を使用して繊維強化され得る。
【００２１】
内側シェル３は、かなり厚く、エネルギー吸収層として機能する。そのため、内側シェル３は、頭部に対する衝撃を減衰又は吸収することができる。内側シェル３は、有利には、発泡スチロール（ＥＰＳ：ｅｘｐａｎｄｅｄ  ｐｏｌｙｓｔｙｒｅｎｅ）、発泡ポリプロピレン（ＥＰＰ：ｅｘｐａｎｄｅｄ  ｐｏｌｙｐｒｏｐｙｌｅｎｅ）、発泡ポリウレタン（ＥＰＵ：ｅｘｐａｎｄｅｄ  ｐｏｌｙｕｒｅｔｈａｎｅ）、ビニル・ニトリル発泡体のような発泡材料、又は、例えばハニカム状構造を形成する他の材料、又は、商標名Ｐｏｒｏｎ（登録商標）及びＤ３Ｏ（登録商標）で販売されているものなどのひずみ速度感受性発泡体から作製され得る。構築は、例えば、以下で見られるように、異なる材料の複数の層を用いて様々なやり方で多様にすることができる。
【００２２】
内側シェル３は、衝撃のエネルギーを吸収するように設計される。ヘルメット１の他の要素（例えば、硬い外側シェル２、又は、内側シェル３の中に設けられたいわゆる「コンフォートパディング」）は、衝撃のエネルギーをいくぶん吸収するが、それはそれらの主目的ではなく、エネルギー吸収に対するそれらの寄与は、内側シェル３のエネルギー吸収と比較して極小である。実際には、コンフォートパディングなどのいくつかの他の要素は「圧縮可能な」材料で作製され得、そのため他の状況では「エネルギーを吸収する」と考えられるが、ヘルメットの分野では、圧縮可能な材料が、ヘルメットの着用者に対する害を低減する目的のために、衝撃の間に有意義な量のエネルギーを吸収するという意味において、必ずしも「エネルギーを吸収する」わけではないということが十分認識されている。
【００２３】
例えば、オイル、テフロン（登録商標）、ミクロスフェア、空気、ゴム、ポリカーボネート（ＰＣ）、フェルトなどの布地材料など、複数の異なる材料及び実施例が、摺動層４又は摺動促進材として使用され得る。そのような層は、およそ０．１から５ｍｍの厚さを有し得るが、選択された材料及び所望の性能に応じて、他の厚さも使用され得る。摺動層の数及びそれらの配置も多様であり得、この実例は以下で（図３Ｂを参照しながら）論じられる。
【００２４】
連結部材５として、例えば、プラスチック又は金属の変形可能な細片が使用され得、これらは、適切な様式で外側シェル及び内側シェルにしっかりと固定される。
【００２５】
図２は、保護用ヘルメット１が機能する原理を示し、ヘルメット１及び着用者の頭蓋骨１０は、半円筒状であって、頭蓋骨１０は、長手方向軸１１に載っていると仮定される。ヘルメット１が斜めの衝撃Ｋを受けたとき、ねじり力及びトルクが頭蓋骨１０に伝達される。衝撃力Ｋにより、保護用ヘルメット１に対し、接線方向の力ＫＴ及び半径方向の力ＫＲの両方が生じる。本明細書の特定の文脈中では、ヘルメットを回転させる接線方向の力ＫＴ及びその影響のみが重要である。
【００２６】
理解され得るように、力Ｋによって内側シェル３に対する外側シェル２の変位１２が生じ、連結部材５が変形される。このような配置構成により、頭蓋骨１０に伝達されるねじり力を、およそ２５％低減することができる。これは、内側シェル３と外側シェル２との間の滑り運動が、半径方向の加速度に変換されるエネルギーの量を低減させることによる結果である。
【００２７】
描写されていないが、保護用ヘルメット１の円周方向にも滑り運動が生じ得る。これは、外側シェル２と内側シェル３との間の円周方向の角回転の結果であり得る（即ち、衝撃の間に、外側シェル２は、内側シェル３に対して円周方向の角度だけ回転され得る）。
【００２８】
保護用ヘルメット１の他の配置構成も可能である。いくつかの可能な変形例が図３に示される。図３ａでは、内側シェル３は、相対的に薄い外側層３”と、相対的に厚い内側層３’とから構築される。外側層３”は、好ましくは、外側シェル２に対する摺動を促進する助けとなるように内側層３’よりも硬い。図３ｂでは、内側シェル３は、図３ａと同様に構築される。この場合、しかしながら、２つの摺動層４が存在し、それらの間には、中間シェル６が存在する。２つの摺動層４は必要に応じて、異なる方法で具現化され得、異なる材料で作製され得る。可能性の１つは、例えば、内側よりも外側の摺動層の摩擦を小さくすることである。図３ｃでは、外側シェル２が、前述のものとは異なる方法で具現化される。この場合、より硬い外側層２”が、より柔軟な内側層２’を覆う。内側層２’は、例えば、内側シェル３と同じ材料とすることができる。
【００２９】
図４は、国際公開第２０１１／１３９２２４号で論じられている種類の第２のヘルメット１を描写し、これも又、斜めの衝撃に対する保護を提供することが意図されている。このタイプのヘルメットも、上述のいずれかのタイプのヘルメットであってよい。
【００３０】
図４では、ヘルメット１は、図１のヘルメットの内側シェル３と類似したエネルギー吸収層３を備える。エネルギー吸収層３の外面は、エネルギー吸収層３と同じ材料から提供され得（即ち、追加の外側シェルはなくてよく）、又は、外面は、図１で示されるヘルメットの外側シェル２と等しい剛性のシェル２（図５参照）とすることができる。その場合、剛性のシェル２は、エネルギー吸収層３とは異なる材料から作製され得る。図４のヘルメット１は、複数の通気孔７を有し、これらは、任意選択であり、エネルギー吸収層３及び外側シェル２の両方を通って延在し、それにより、ヘルメット１の通気を可能にする。
【００３１】
着用者の頭部にヘルメット１を装着するために、装着デバイス１３が提供される。上記で論じられるように、装着デバイス１３のサイズを調節することによって、異なるサイズの頭部を収容することが可能となるため、エネルギー吸収層３及び剛性のシェル２のサイズを調節することができないとき、これは望ましいことであり得る。装着デバイス１３は、ＰＣ、ＡＢＳ、ＰＶＣ、若しくはＰＴＦＥなどの弾性若しくは半弾性のポリマー材料、又は、綿布などの天然繊維材料で作製され得る。例えば、織物のキャップ又はネットが装着デバイス１３を形成し得る。
【００３２】
装着デバイス１３は、前側、後側、左側、及び右側から延在する更なるストラップ部分を有するヘッドバンド部分を備えるものとして示されているが、装着デバイス１３の特定の構成は、ヘルメットの構成に応じて様々であり得る。場合によっては、装着デバイスは、むしろ、ヘルメットの通気を可能にするために、例えば通気孔７の位置に対応して恐らく穴又は隙間を有する、連続した（成形された）シートのようなものであってもよい。
【００３３】
図４は、特定の着用者用に装着デバイス１３のヘッドバンドの直径を調節するための、任意選択の調節デバイス６も描写する。他の配置構成では、ヘッドバンドは、弾性のヘッドバンドであり得、その場合、調節デバイス６は除外され得る。
【００３４】
摺動促進材４が、エネルギー吸収層３の半径方向内側に設けられる。摺動促進材４は、エネルギー吸収層に対して、又は、ヘルメットを着用者の頭部に装着するために提供された装着デバイス１３に対して摺動するように適合されている。
【００３５】
摺動促進材４は、上述されたのと同様に、エネルギー吸収層３が装着デバイス１３に対して摺動することを補助するために設けられる。摺動促進材４は、低摩擦係数の材料であり得、又は、そのような材料でコーティングされ得る。
【００３６】
そのため、図４のヘルメットでは、摺動促進材は、エネルギー吸収層３の最も内側に設けられ得、又は組み込まれ得、装着デバイス１３に面する。
【００３７】
しかしながら、エネルギー吸収層３と装着デバイス１３との間に摺動機能を提供するという同じ目的のために、摺動促進材４が、装着デバイス１３の外面に設けられる又は組み込まれ得ることも同様に考えられる。即ち、特定の配置構成では、装着デバイス１３自体が、摺動促進材４として機能するように適合され得、低摩擦材料を備えることができる。
【００３８】
言い換えれば、摺動促進材４は、エネルギー吸収層３の半径方向内側に設けられる。摺動促進材は、装着デバイス１３の半径方向外側にも設けられ得る。
【００３９】
装着デバイス１３が、（上述のように）キャップ又はネットとして形成されるとき、摺動促進材４は、低摩擦材料のパッチとして提供されてもよい。
【００４０】
低摩擦材料は、ΡＴＦΕ、ＡＢＳ、ＰＶＣ、ＰＣ、Ｎｙｌｏｎ、ＰＦＡ、ＥΕΡ、ＰＥ、及びＵＨＭＷＰＥなどのワキシー・ポリマー（ｗａｘｙ  ｐｏｌｙｍｅｒ）、又は、潤滑剤が注入され得る粉末材料とすることができる。低摩擦材料は、布地材料とすることができる。論じられているように、この低摩擦材料は、摺動促進材及びエネルギー吸収層のうちの一方又は両方に適用され得る。
【００４１】
装着デバイス１３は、図４の４つの固定部材５ａ、５ｂ、５ｃ、及び５ｄなどの固定部材５によって、エネルギー吸収層３及び／又は外側シェル２に固定され得る。これらは、弾性的、半弾性的、又は塑性的に変形することによってエネルギーを吸収するように適合され得る。しかしながら、これは必須ではない。更に、この特徴が存在する場合でも、吸収されるエネルギーの量は、通常、衝撃の間にエネルギー吸収層３によって吸収されるエネルギーと比較して極小である。
【００４２】
図４に示される実施例によれば、４つの固定部材５ａ、５ｂ、５ｃ、及び５ｄは、第１の部分８と第２の部分９とを有するサスペンション部材５ａ、５ｂ、５ｃ、５ｄであり、サスペンション部材５ａ、５ｂ、５ｃ、５ｄの第１の部分８は、装着デバイス１３に固定されるように適合され、サスペンション部材５ａ、５ｂ、５ｃ、５ｄの第２の部分９は、エネルギー吸収層３に固定されるように適合される。
【００４３】
図５は、着用者の頭部に置かれたときの、図４のヘルメットと類似した実施例を示す。図５のヘルメット１は、エネルギー吸収層３とは異なる材料から作製された硬い外側シェル２を備える。図４とは対照的に、図５では、装着デバイス１３は、弾性的、半弾性的、又は塑性的にエネルギー及び力を吸収するように適合された２つの固定部材５ａ、５ｂによって、エネルギー吸収層３に固定される。
【００４４】
ヘルメットに回転力を生成させる前方斜めの衝撃Ｉが、図５に示される。斜めの衝撃Ｉは、エネルギー吸収層３を装着デバイス１３に対して摺動させる。装着デバイス１３は、固定部材５ａ、５ｂによってエネルギー吸収層３に固定される。明瞭にするために、そのような固定部材が２つのみ示されているが、多くのそのような固定部材が実際には存在し得る。固定部材５は、弾性的又は半弾性的に変形することによって回転力を吸収することができる。他の配置構成では、変形は、塑性的であり得、１つ又は複数の固定部材５を切断することさえもある。塑性変形の場合、少なくとも固定部材５は、衝撃後に交換される必要がある。場合によっては、固定部材５の塑性変形及び弾性変形の組み合わせが発生し得、即ち、いくつかの固定部材５は破断して塑性的にエネルギーを吸収し、他の固定部材は変形して弾性的に力を吸収する。
【００４５】
一般的に、図４及び図５のヘルメットでは、衝撃の間に、エネルギー吸収層３は、図１のヘルメットの内側シェルと同様に、圧縮することによって衝撃吸収材として機能する。外側シェル２が使用される場合、外側シェル２は、衝撃エネルギーをエネルギー吸収層３にわたって分散させる助けとなる。又、摺動促進材４は、装着デバイスとエネルギー吸収層との間の摺動を可能にすることになる。これは、そうでなければ回転エネルギーとして脳に伝達されることになるエネルギーを、制御された方法で散逸させることを可能にする。エネルギーは、摩擦熱、エネルギー吸収層の変形、又は、固定部材の変形若しくは変位によって散逸され得る。エネルギー伝達が低減されるので、脳に影響を及ぼす回転加速度が低減され、従って、頭蓋骨内の脳の回転が低減される。それにより、硬膜下血腫、ＳＤＨ、血管破裂、脳震とう、及びＤＡＩなどの回転傷害のリスクが低減される。
【００４６】
本発明の配置構成では、ヘルメットには、２つの個別のモード間で選択的に切り替え可能であるように構成されたスイッチが備わる。第１のモードでは、ヘルメットの内側シェルと外側シェルとの間の相対的な摺動は、ヘルメットへの衝撃に応じて可能となり得る。第２のモードでは、内側シェルと外側シェルとの間の相対的な摺動が防止される。スイッチが相対的な摺動を制御する、ヘルメットの内側及び外側シェルは、一般的には、ヘルメットの任意の２つの層とすることができ、その間には摺動境界面が提供される。詳細には、そのようなスイッチは、上述のいずれかのヘルメットの配置構成に設けられ得る。
【００４７】
例えば、ある配置構成では、内側シェルは、着用者の頭部に接触するように、及び／又は、着用者の頭部に載せられるように構成された層であり得、外側シェルは、衝撃エネルギーを吸収するためのエネルギー吸収層であり得る。別の配置構成では、内側シェルは、衝撃エネルギーを吸収するための第１のエネルギー吸収層であり得、外側シェルは、衝撃エネルギーを吸収するための第２のエネルギー吸収層であり得る。更なる実例では、内側シェルは、衝撃エネルギーを吸収するためのエネルギー吸収層であり得、外側シェルは、例えばエネルギー吸収層を形成するために使用される材料よりも硬い材料から形成された相対的に硬いシェルであり得る。
【００４８】
スイッチの配置構成の特定の実例に関連して以下に説明されるように、スイッチは、ヘルメットの着用者によって第１及び第２のモード間で、手動で切り替えられ得るように構成され得る。従って、第１及び第２のモード間の切り替えは、例えば製造／組み立てプロセスで設定されるのではなく、使用者がヘルメットを購入した後に実行され得る。又、使用者は、第１及び第２のモード間で前後に繰り返し切り替えることができる。
【００４９】
いくつかの配置構成では、第１及び第２のモード間の切り替えを完了するために、道具が使用され得る。他の配置構成では、使用者が、第１及び第２のモード間で道具を使用する必要なく切り替えることができるようにスイッチが構成され得る。例えば、スイッチは、第１及び第２のモード間の切り替えが、使用者の手／指を使用して成し遂げられ得るように構成され得る。
【００５０】
一般的に、スイッチは、ヘルメットの任意の都合のよい地点に設けられ得る。いくつかの配置構成では、スイッチは、ヘルメットの縁部に設けられ得る。これは、使用者にスイッチへのアクセスを提供するのに便利であり得る。例えば、これは、使用者が、ヘルメットを着用したまま、第１及び第２のモード間で切り替えることを許容することができる。代替え的又は追加的には、ヘルメットの縁部にスイッチを設けることは、そのようなスイッチを有するヘルメットの製造を容易にすることができる。
【００５１】
図６は、ヘルメットの縁部に設けられたスイッチ２０を有するヘルメットの実例を描写する。示された配置構成では、ヘルメットは、外側シェル２１と内側シェル２２とを含み、摺動境界面２３が２つのシェル間に提供される。スイッチ２０は、可動ロック２５を含み、これは、スイッチ２０の第１及び第２のモードに対応する第１及び第２の位置間で移動することができる。
【００５２】
図６は、第１の位置にあるロック２５を描写する。図示されるように、ロック２５は、回転可能な取り付けポイント２６によって外側シェル２１に取り付けられる。第１の位置では、ロック２５は内側シェル２２と係合しない。その結果として、内側シェル２２は、外側シェル２１に対して摺動境界面で摺動することができる。
【００５３】
ロック２５は、回転可能な取り付けポイント２６の周りでロック２５を回転させることによって第２の位置に移動され得る。ロック２５が第２の位置に回転されると、ロック２５の端部２８が、内側シェル２２内の凹部２７と係合する。ロック２５の内側シェル２２との係合は、外側シェル２１に対する内側シェル２２の動きを防止するように構成され得る。このようにして、摺動境界面２３での内側シェル２２と外側シェル２１との間の相対的な摺動が防止され得、スイッチ２０を第２のモードに設定する。
【００５４】
図６に示された配置構成の変形形態が提供され得ることを理解されたい。例えば、ロック２５は、内側シェルに回転可能に取り付けられ、外側シェルと係合し、そこから係合解除することができるように構成され得る。代替え的又は追加的には、ロックの端部は、それが取り付けられていないシェルと、そのシェルの凹部に入る以外の手段で係合するように構成され得る。例えば、可動ロックは、シェルから突出した突出部と係合するように構成され得る。一般的に、ロックと、それが取り付けられているシェル以外のシェルとの間に、様々な形態の着脱可能な連結が設けられ得る。
【００５５】
ある配置構成では、可動ロック２０は、シェル間の相対的な摺動を防止するために、ロックの一部が凹部内に挿入される必要なく、ロックが取り付けられているシェル以外のシェルと係合することができるように構成され得る。例えば、図７に描写された配置構成では、ロック２０は、外側シェル２１の縁部に回転可能に取り付けられたタブ２９を含むことができる。第１の位置では、タブ２９は、外側シェル２１の外面に隣接して配置され得る。第２の位置では、タブ２９は、内側シェル２２の縁部に当接することができ、内側シェル２２が外側シェル２１に対して摺動することを防止する。
【００５６】
図７に示されるように、このような配置構成では、回転可能に取り付けられたタブ２９は、内側シェル２２の凹部に挿入されることなく、内側シェル２２と係合することができるが、いずれの場合も、第２の位置でタブ２９を受け入れるように浅い凹部が設けられ得る。例えば、これにより、タブ２９が誤って第１の位置に跳ね返される恐れを低減することができる。
【００５７】
図８及び９は、可動ロック２０の代替え的な配置構成を描写する。図８及び９に示された配置構成は、外側シェル２１に、図６に示された配置構成のように回転可能に取り付けられるのではなく、摺動可能に取り付けられた構成要素をロック２０が含むという点で、図６に示された配置構成とは異なる。
【００５８】
本明細書の文脈中では、摺動可能に取り付けられた構成要素は、それが取り付けられたシェルの表面に略平行である実質的直線方向に移動することができるように配置されたものであり得る。この動きは、ヘルメットのシェルの局所曲率に対応することができるので、完全な直線、即ちまっすぐな方向ではなくてもよいことを理解されたい。図８及び９に示される配置構成では、摺動可能に取り付けられた構成要素３１、３５は、外側シェル２１に取り付けられる。しかしながら、適切な変更により、これらの構成要素は、代替え的に内側シェル２２に取り付けられ得ることを理解されたい。
【００５９】
図８に描写された配置構成では、ロック２０は、摺動可能に取り付けられた構成要素３１に連結された突出部３２を有することができ、これは、ロック２０が第１の位置から第２の位置まで移動され、再び戻されるとき、突出部３２が、内側シェル２２内の凹部３３にそれぞれ挿入され、そこから引き出されるように配置される。
【００６０】
図示されるように、突出部３２は、それが凹部３３に少なくとも挿入されるとき、摺動可能に取り付けられた構成要素３１が、第１及び第２の位置間で移動されるときに移動する方向に対して、ある角度で延在するように配置される。図６に示された上述の配置構成に対応するように、突出部３２が凹部３３に挿入されると、突出部３２は、外側シェル２１に対する内側シェル２２の動きを制限するために、内側シェル２２と係合する。
【００６１】
図９に描写された配置構成は、図８に示された配置構成と類似した様式で作動し、摺動可能に取り付けられた構成要素３５に連結された突出部３６を有し、ロック２０の操作時に、突出部３６は、内側シェル２２内の凹部３７に挿入され、そこから後退させられ得る。
【００６２】
図８及び９に描写された配置構成の主な機能の違いは、図８に描写された配置構成では、摺動可能に取り付けられた構成要素３１を、ヘルメットの頂部からヘルメットの縁部の方向に摺動させることで、ロック２０を第１の位置に移動させ、一方、図９に描写された配置構成では、摺動可能に取り付けられた構成要素３５を、ヘルメットの頂部からヘルメットの縁部の方向に移動させることで、スイッチ２０を第２の位置に移動させることである。
【００６３】
図１０は、摺動可能に取り付けられたロック２０の更なる代替え的な配置構成を描写する。図示されるように、この配置構成では、ロック２０は、外側シェル２１の外面に取り付けられた、摺動可能に取り付けられた構成要素４０を含み、これは、突出部４１を含む。描写された配置構成では、摺動可能に取り付けられた構成要素４０が第２の位置に移動されるとき、突出部４１は、外側シェル２１の開口部４２を通って内側シェル２２の凹部４３に入る。内側シェル２２の凹部４３内に突出部４１が存在することで、内側シェル２２と外側シェル２１との間の摺動運動を制限することができる。
【００６４】
ロック２０は、摺動可能に取り付けられた構成要素４０が第２の位置に移動されるとき、突出部４１が、外側シェル２１の開口部４２を通って、内側シェル２２の凹部４３に入るよう付勢されるように構成され得る。ある配置構成では、これは、摺動可能に取り付けられた構成要素４０と突出部４１との間に、突出部４１を凹部４３に付勢する弾力性部材４４を設けることによってもたらされ得る。
【００６５】
代替え的又は追加的には、摺動可能に取り付けられた構成要素４０自体に弾力性があり得、第１の位置では、摺動可能に取り付けられた構成要素が変形され、外側シェル２１の外面に対して突出部４１を押圧するように配置される。突出部４１が開口部４２と整列すると、摺動可能に取り付けられた構成要素４０は、それ自身の無変形状態に戻るように付勢され、突出部４１を、開口部４３を通して凹部４３に押し込む。
【００６６】
図１０に示されるように、１つの配置構成では、内側シェル２２と係合する突出部４１の表面は、丸みのある縁部を有することができ、摺動可能に取り付けられた構成要素４０が第１の位置に押し戻されると、即ち、外側シェルの表面に平行な実質的直線方向に開口部４２の領域で摺動されると、突出部４１は、内側シェル２２の凹部４３から外側シェル２１の開口部４２を通って引き出される。言い換えれば、突出部の丸みのある縁部と凹部４３及び／又は開口部４２の縁部との係合は、開口部４２の領域で、外側シェル２１の表面に対し実質的垂直な方向に突出部を押し進めることができる。これは、突出部を凹部４３の中に付勢する力に打ち勝つことができる。
【００６７】
ある配置構成では、可動ロック２０は、内側シェル及び外側シェルのうちの一方に取り付けられた第１の部品５１と、ロック２０の一部を変形することによって、他方のシェルの凹部５３に挿入され得る第２の部品５２とを有することができる。
【００６８】
図１１はそのような配置構成を描写する。図１１に描写された配置構成では、ロック２０の第１の部品５１は、内側シェル２２に取り付けられる。ロック５０の第２の部品５２は、外側シェル２１の凹部５３に挿入され得る。これは、ロック２０の一部、詳細には、例えば、第１の部品５１と第２の部品５２との間のロックの一部を変形することによって成し遂げられ得る。ロック２０の第２の部品５２を凹部５３に挿入することによって、外側シェル２１に対する内側シェル２２の摺動が制限され得る。
【００６９】
図１１に描写された配置構成では、第１の部品５１が内側シェルに取り付けられ、ロック２０は、第２の部品５２が外側シェル２１の凹部５３に挿入され得るように構成されるが、この配置構成は逆になってもよいことを理解されたい。同様に、図１１は、内側シェル２２が相対的に薄く、例えば、着用者の頭部にヘルメットを載せるように構成され、外側シェル２１は、内側シェル２２よりも厚いエネルギー吸収層であるヘルメットに適用されるロックの実例を描写するが、上述の他の配置構成のように、この可動ロックは、他のヘルメットの構成に等しく適合され得ることを理解されたい。
【００７０】
ある配置構成では、ヘルメットは、上述したもののいずれかなどの複数のロック２０を有することができる。ヘルメットは、１つの配置構成の複数のロック２０を有することができ、又は、上述の２つ以上の配置構成に従って構築された複数のロックを有することができる。
【００７１】
いくつかの配置構成では、単一のロックが、第２の位置にあるとき、外側シェルに対する内側シェルの第１の方向への動きを制限することができる。ヘルメットは、第２のロックを含むことができ、第２のロックは、それ自身の第２の位置にあるとき、外側シェルに対する内側シェルの、第１の方向とは異なる第２の方向への動きを制限する。
【００７２】
例えば、ヘルメットは、第２の位置において、着用者の頭部の前方から後方へ延在する軸の周りの、内側シェルに対する外側シェルの回転を制限する、１つ又は複数のロックと、第２の位置において、着用者の頭部の第１の側から第２の側へ延在する軸の周りの、内側シェルに対する外側シェルの回転を制限する、１つ又は複数のロックとを有することができる。
【００７３】
ある配置構成では、ヘルメットは、境界面係合ロック６０を備えるスイッチを含むことができる。境界面係合ロック６０は、第２のモードにおいて、それが、内側シェル２２の外面の一部を外側シェル２１の内面の一部分にしっかりと固定するように構成され得る。内側シェル２２及び外側シェル２１の表面間のこの係合は、内側シェル２２及び外側シェル２１の表面のそれぞれの部分間の摺動を防止するように構成され得る。そしてこれは、外側シェル２１に対する内側シェル２２の摺動を制限することができる。
【００７４】
図１２は、境界面係合ロック６０の配置構成を描写する。図１２に描写された配置構成では、境界面係合ロック６０は、内側シェル２２に取り付けられた摩擦パッド６１を含む。境界面係合ロック６０は、第１のモードでは、摩擦パッド６１が、外側シェル２１の内面と接触しないか、又は、ヘルメットが設計されている衝撃が、ヘルメットにあった場合に、摩擦パッド６１と外側シェル２１の内面との間の摩擦力が、内側シェル２２に対する外側シェル２１の摺動を実質的に防止しないほどの小さい力で、外側シェル２１の内面と接触するように配置される。第２のモードでは、摩擦パッド６１は、摩擦パッド６１と外側シェル２１の内面との間に十分な摩擦力がもたらされ、内側シェル２２に対する外側シェル２１の摺動が、少なくともヘルメットの通常使用時に防止されるように外側シェル２１の内面を押圧する。
【００７５】
図１２に描写された配置構成では、回転式アクチュエーター６２が、摩擦パッド６１の位置、及び／又は、摩擦パッド６１と外側シェル２１の内面との間の反力を調節するために設けられる。回転式アクチュエーター６２は、スイッチが第１のモードで機能し、外側シェル２１と内側シェル２２との間の相対的な摺動を制限しない第１の位置と、相対的な摺動が制限される第２のモードとの間で回転され得る。
【００７６】
回転式アクチュエーター６２は、第１及び第２の位置間で使用者が回転式アクチュエーターを回転させることを可能にする、指穴（図１２には図示せず）を含むことができる。代替え的又は追加的には、回転式アクチュエーター６２は、使用者が、回転式アクチュエーター６２を回すために使用することができる道具を受け入れるように構成され得る。回転式アクチュエーター６１の回転運動を、摩擦パッド６１を前進及び後退させる直線運動に変換するために、例えばねじ山を含む、任意の様々な構成のいずれかが使用され得る。
【００７７】
図１３は、図１２に示される配置構成の変形形態を描写する。この配置構成では、摩擦パッド６１は、押しボタン６３によって駆動される。押しボタンの機構は、最初に押されたときに、摩擦パッド６１を外側シェル２１に向かって前進させて、境界面係合ロック６０を第２のモードに設定し、内側シェル２２に対する外側シェル２１の摺動を制限するように構成され得る。押しボタンの機構は、２度目に押されたときに、摩擦パッド６１を外側シェル２１から後退させて、境界面係合ロックを第１のモードに設定するように更に構成され得る。
【００７８】
上述のように、１つ又は複数の連結具が、ヘルメットの第１及び第２のシェル間に設けられ得、これは、衝撃がヘルメットにある場合に、２つのシェル間の摺動を許容するように構成される。そのような連結具は、大きな衝撃の場合には、２つのシェル間の摺動を許容するように構成され得るが、衝撃がないときには、シェル間の動きを最小化又は低減することができ、及び／又は、衝撃がないときには、２つのシェルが分離することを防止するように構成され得る。ある配置構成では、ヘルメットの外側シェルに対する内側シェルの摺動を可能にし、制限する、第１及び第２のモード間で切り替わるように構成されたスイッチは、そのような連結具を含むことができる。そのような連結具は、衝撃がないときには、内側シェル及び外側シェルが分離することを防止するように構成され得るが、ヘルメットへの衝撃がある場合には、連結具は、相対的な摺動を許容することができる。
【００７９】
図１４は、連結具７１がスイッチ７２と組み合わされた配置構成を描写する。示された配置構成では、連結具７１は、細長い弾力性構成要素によって提供され、細長い弾力性構成要素は、第１の端部７３でヘルメットの１つのシェルに連結され、第２の端部７４でヘルメットのもう１つのシェルに連結される。２つのシェルの相対的な摺動中、弾力性構成要素がしなり、連結具７１の第１の端部７３と第２の端部７４との間の分離間隔が変化することを許容し、そして、２つのシェルの相対的な摺動を許容する。
【００８０】
図示されるように、連結具７１と関連付けられたロック７２が、連結具の１つの端部７３で、ヘルメットのシェルのうちの１つに取り付けられるように配置され得る。ロック７２は、それが取り付けられているシェルではないヘルメットシェル７５と係合しない第１の位置と、ロック７２が、それが取り付けられているシェルではない方のシェルと係合し、連結具７１の第１の端部７３と第２の端部７４との間の動きを防止する、第２の位置との間で切り替えられ得るように更に構成される。従って、第２の位置では、ロック７２は、ヘルメットの２つのシェルの相対的な摺動を防止する。図１４に示された配置構成では、ロック７２は、対向するシェル７５の凹部７６と係合する、回転可能に取り付けられたロック７２として構成される。しかしながら、適切な変更により、上述のいずれかのロック配置構成が、連結具と組み合わされて使用され得ることを理解されたい。
【００８１】
ある配置構成では、スイッチは、単に連結具７１と共に設けられる、連結具と一体的にスイッチが形成されるように構成され得る。詳細には、スイッチは、第１のモードでは、妨害されずに連結具が機能し、第２のモードでは、連結具がヘルメットのシェルの相対的な摺動を許容するように機能することをスイッチが防止するように、構成され得る。
【００８２】
そのような配置構成は、例えば、図１５に描写されたような配置構成で提供され得、この配置構成では、連結具７１は複数の細長い弾力性要素から形成され、細長い弾力性要素は、荷重下で変形し、第１のヘルメットシェル７６に取り付けられた、連結具７１の第１の部品７７と、第２のシェル７５に連結された１つ又は複数の部品７８との間の動きを許容することができる。スイッチは、連結具７１の第１の部品７７と連結具７８の第２の部品との間の空間を満たすことができる、１つ又は複数の取り外し可能なインサート７９を備えることができる。
【００８３】
１つ又は複数の取り外し可能なインサート７９は、連結具を形成する弾力性要素よりも剛性があり得、連結具７１の第１の部品７７と第２の部品７８との間の動きを防止する、即ち、弾力性要素が変形することを防止する。
【００８４】
第１のモードでは、１つ又は複数のインサート部材７９は、それらが連結具７１と係合せず、従って、連結具の第１の端部７７と第２の端部７８との間の動きを防止しないように位置し得る。従って、ヘルメットシェル間の摺動は制限され得ない。
【００８５】
第２のモードでは、１つ又は複数のインサート部材７９は、第１の部品７７及び第２の部品７８が互いに対して動くことができないように、連結具７１と係合し、ヘルメットの２つのシェル間の摺動を制限する。
【００８６】
図１５に描写される配置構成は、複数のインサート部材７９を示しているように見えるが、これらは図の平面上で共に連結され得、使用者によって連結具に挿入され、そこから取り外され得る単一のインサート部材を提供することを理解されたい。第１のモードでは、１つ又は複数のインサート部材は、連結具の第１の部品７７及び第２の部品７８の相対的な動きを防止しない位置でヘルメット及び／又は連結具に保持され得ることも理解されたい。代替え的には、１つ又は複数のインサート部材７９は、第１のモードでは、使用者が、１つ又は複数のインサート部材をヘルメットから完全に取り外すように構成され得る。
【図１】
2021516728.tif 000003
【図２】
2021516728.tif 000004
【図３Ａ】
2021516728.tif 000005
【図３Ｂ】
2021516728.tif 000006
【図３Ｃ】
2021516728.tif 000007
【図４】
2021516728.tif 000008
【図５】
2021516728.tif 000009
【図６】
2021516728.tif 000010
【図７】
2021516728.tif 000011
【図８】
2021516728.tif 000012
【図９】
2021516728.tif 000013
【図１０】
2021516728.tif 000014
【図１１】
2021516728.tif 000015
【図１２】
2021516728.tif 000016
【図１３】
2021516728.tif 000017
【図１４】
2021516728.tif 000018
【図１５】
2021516728.tif 000019
【国際調査報告】
2021516728.tif 000020
2021516728.tif 000021